(57)【特許請求の範囲】
【請求項１】
ミラーキャビネットの主体を構成するキャビネット本体の上端部に照明部を設け且つ前面の上端部を除く部分にミラーを設けたミラーキャビネットにおいて、照明部の照明カバーの前面とミラーの前面が面一または略面一となっており、キャビネット本体の前面部の上端部に取付ける不透明のカバー本体の前面部の上部が前面上部カバー部となり、前面部の下部が下開口部となり、カバー本体の下開口部の背部が凹所となり、この凹所の背面部が斜め前下方に向けて下り傾斜した傾斜面部となり、カバー本体の前面部の背方位置で且つ前記傾斜面部の上方位置にランプが配置され、ランプからの光が前記傾斜面部に反射されて前記下開口部を通して斜め前下方に照射されることを特徴とするミラーキャビネット。
【請求項２】
ミラーキャビネットの主体を構成する合成樹脂製のキャビネット本体の前端面を面一又は略面一とし、該キャビネット本体の上端部を照明用キャビネット部とすると共に上端部を除く部分を収納用キャビネット部とし、収納用キャビネット部の前面部にミラーを開閉自在に取付け、照明キャビネット部の前面部に照明カバーを取付け、照明カバーの前面とミラーの前面が面一または略面一となっていることを特徴とする請求項１記載のミラーキャビネット。
【発明の詳細な説明】
【技術分野】
【０００１】
本発明は、ミラーキャビネットに関するものである。
【背景技術】
【０００２】
従来から上端部に照明部を設けたミラーキャビネットが知られているが、従来のミラーキャビネットは例えば特許文献１に示されるように、上端部に設けた照明部の照明カバーがミラーキャビネットの前面の上端部を除く部分に設けたミラーの前面の上方位置で該ミラーの前面よりも前方に突出し、該照明カバーの前方に突出した部分の前面及び下面から光を照射するようになっているのが一般的であった。
【０００３】
このような従来例のミラーキャビネットは、上端部において照明カバーが前方に向けて突出するため、すっきりした外観とならず、また、照明部が目立ちすぎて外観が悪かった。
【０００４】
また、上記の従来例にあっては、ミラーキャビネットの主体を構成する合成樹脂製のキャビネット本体の前面がミラーを取付ける部分と、照明カバーを取付ける部分とで段差が生じており、このため、側面から見た場合、キャビネット本体の前端縁に段差が生じた外観となり、この点でもすっきりした外観とならず、側面から見た外観も悪いという問題があった。
【０００５】
更に、上端部において照明カバーが前方に向けて突出するため、梱包する際、照明カバー部分が邪魔になり、梱包しにくく、梱包が大きくなって嵩張り、搬送、保管も大きなスペースが必要になるという問題があった。
【０００６】
更に、ミラーキャビネットは、洗面室、脱衣室等の狭い室内に設置されるものであり、このため洗面室、脱衣室等の狭い室内にミラーキャビネットを施工した際、照明カバーが前方に向けて突出するため、前方への突出した部分の存在により室内において圧迫感が生じ、特に、ミラーの前に立って化粧をしたり、整髪をしたりする際に、ミラー上方において前方に突出する照明カバーにより使用者に圧迫感を与え、ミラーキャビネットの快適な使用の妨げとなるという問題があった。
【特許文献１】特開２００２−２４５８３７号公報
【発明の開示】
【発明が解決しようとする課題】
【０００７】
本発明は上記の従来の問題点に鑑みて発明したものであって、ミラーキャビネットの前面から出っ張りをなくして外観がよくなると共に、洗面室、脱衣室等の狭い室内に設置されるものであるにもかかわらず圧迫感がなく、また、梱包が簡単になり、搬送、保管に当って嵩高くならず、また、ミラーを使用する使用者を効果的に照らすことができるミラーキャビネットを提供することを課題とするものである。
【課題を解決するための手段】
【０００８】
上記課題を解決するために本発明に係るミラーキャビネットは、ミラーキャビネット４の主体を構成するキャビネット本体１０の上端部に照明部１を設け且つ前面の上端部を除く部分にミラー２を設けたミラーキャビネット４において、照明部１の照明カバー３の前面とミラー２の前面が面一または略面一となっており、キャビネット本体１０の前面部の上端部に取付ける不透明のカバー本体１４の前面部の上部が前面上部カバー部１６となり、前面部の下部が下開口部１８となり、カバー本体１４の下開口部１８の背部が凹所１９となり、この凹所１９の背面部が斜め前下方に向けて下り傾斜した傾斜面部１９ｂとなり、カバー本体１４の前面部の背方位置で且つ前記傾斜面部１９ｂの上方位置にランプ１３が配置され、ランプ１３からの光が前記傾斜面部１９ｂに反射されて前記下開口部１８を通して斜め前下方に照射されることを特徴とするものである。
【０００９】
このような構成とすることで、照明部１を上端部に設けたミラーキャビネット４の全前面を面一又は略面一とすることができて、ミラーキャビネット４の前面からの出っ張りを無くすことができ、外観がよくなると共に、洗面室、脱衣室等の狭い室内に設置されるものであるにもかかわらず圧迫感がなくなる。また、前面の出っ張りがないので、梱包が簡単になり、搬送、保管に当って嵩高くならない。また、ミラーキャビネット４の外観をよくするために照明カバー３がミラー２と面一又は略面一となっているにもかかわらず、照明カバー３の斜め前下方であるミラー２の前方位置を効果的に照明し、ミラー２の前方に位置する使用者の顔を照らすと共にミラー２の前面側を明るく照らし、ミラー２に顔を映して行う化粧や整髪が良好に行える。
【００１０】
また、ミラーキャビネット４の主体を構成する合成樹脂製のキャビネット本体１０の前端面を面一又は略面一とし、該キャビネット本体１０の上端部を照明用キャビネット部１０ｂとすると共に上端部を除く部分を収納用キャビネット部１０ａとし、収納用キャビネット部１０ａの前面部にミラー２を開閉自在に取付け、照明キャビネット部１０ｂの前面部に照明カバー３を取付け、照明カバー３の前面とミラー２の前面が面一または略面一となっていることが好ましい。
【００１１】
このような構成とすることで、ミラーキャビネット４を側面から見た場合、前端が上下に一直線状に連続する又は略一直線状に連続するキャビネット本体１０の前端に、同じ前後巾の照明カバー３とミラー２とが上下に並んで位置することになって、側面から見た外観がすっきりした外観となり、この点でも外観がよくなる。
【発明の効果】
【００１４】
本発明は、上記のように、ミラーキャビネットにおいて、照明部の照明カバーの前面とミラーの前面が面一または略面一となっているので、ミラーキャビネットの前面から出っ張りを無くすことができて、外観がよくなり、しかも、ミラーキャビネットは、洗面室、脱衣室等の狭い室内に設置されるものであるにもかかわらず上記のように前面の出っ張りがないので圧迫感がなく、快適にミラーに顔を映しながら化粧や整髪をすることができ、また、前面の出っ張りがないので、梱包が簡単になり、搬送、保管に当って嵩高くならないという利点がある。また、このように照明カバーの前面とミラーの前面が面一または略面一となっているにもかかわらず、ミラーの前方に位置する使用者の顔を照射光で効果的に照らし、ミラーに顔を映して快適な使用ができる。
【発明を実施するための最良の形態】
【００１５】
以下、本発明を添付図面に示す実施形態に基いて説明する。
【００１６】
添付図面に示す実施形態においては、本発明のミラーキャビネット４を洗面キャビネット６の上に設置して洗面化粧台５を構成した例を示している。
【００１７】
図４乃至図６に示すように、洗面キャビネット６は下部キャビネット７の上開口部に洗面ボウル８を載設して取付けることで構成してある。
【００１８】
洗面ボウル８は合成樹脂や陶器成の一体成形物で、ボウル部９の後端部にボウル部９と一体に立ち上がり壁部３１を上方に向けて突出することで構成してある。
【００１９】
立ち上がり壁部３１の前面の上端には吐水部３２、吐水部３２からの吐水、止水等を行うための吐水・止水操作部３０が設けてある。
【００２０】
立ち上がり壁部３１の上端部には本発明のミラーキャビネット４の下面部の後端部が載設支持されると共に、ミラーキャビネット４は建物の壁に固定手段により固定される。
【００２１】
ミラーキャビネット４は、図１乃至図３に示すように、上端部に照明部１を設け且つ前面の上端部を除く部分にミラー２を設けたものである。
【００２２】
このミラーキャビネット４は、図１、図２に示すように、キャビネット本体１０の上端部を除く大部分が収納用キャビネット部１０ａとなっており、上端部が照明用キャビネット部１０ｂとなっていて、このキャビネット本体１０は合成樹脂の一体成形により形成してある。
【００２３】
キャビネット本体１０の前端面は、収納用キャビネット部１０ａの前端面、照明用キャビネット部１０ｂの前端面が面一又は略面一となっており、キャビネット本体１０を側面から見た場合、図１に示すように側面視で前端縁が上下方向に一直線状に連続またはほぼ一直線状に連続していて、キャビネット本体１０全体の側面形状が縦長の長方形状をしていている。
【００２４】
収納用キャビネット部１０ａには前方に開口する複数の収納部１７が設けてある。また、収納用キャビネット部１０ａの前端部にはミラー２を開閉自在に取付けてあって、ミラー２を閉じて収納用キャビネット部１０ａの前面部に重ねた状態で収納用キャビネット部１０ａに設けた収納部１７を覆うようになっている。また、ミラー２を回動して開くことで、収納部１７を開口することができる。
【００２５】
添付図面に示す実施形態においては、ミラー２は、収納用キャビネット部１０ａの前面部の中央部を覆うことができるように側端の上下をヒンジ部により回動自在に取付けた中央ミラー２ａと、収納用キャビネット部１０ａの前面部の左右をそれぞれ覆うことができるように側端の上下をヒンジ部により回動自在に取付けた左右の側ミラー２ｂとの三面鏡となっている。
【００２６】
また、ミラー２は上下にサッシ部２７が取付けられ、該サッシ部２７をヒンジ部により収納用キャビネット部１０ａの前端部に取付けてある。
【００２７】
照明用キャビネット部１０ｂには図３に示すように前方に開口する照明用収納部１１が設けてあって、該照明用収納部１１にランプ１３を含む照明器具本体を収納して照明部１が構成してある。該ランプ１３はミラー２の前面よりも後方にずれた位置に位置している。照明用収納部１１の前面には照明カバー３が着脱自在に取付けられ、該照明カバー３の前面がミラー２の前面と面一又は略面一となっている。
【００２８】
照明カバー３は図３に示すように、キャビネット本体１０の前面部に着脱自在に取付けるカバー本体１４と、カバー本体１４に対して着脱自在に取付ける透明板１２とで構成してある。
【００２９】
カバー本体１４は全体が不透明で、図７に示すように前面部の上部が前面上部カバー部１６となり、前面部の下部が下開口部１８となっている。
【００３０】
カバー本体１４の下開口部１８の背部が凹所１９となっており、この凹所１９は両側面部１９ａと、背面部となる斜め前下方に向けて下り傾斜した傾斜面部１９ｂとで構成してある。傾斜面部１９ｂの前端縁が下開口部１８の下端縁となっている。前面上部カバー部１６の下端縁と、両側面部１９ａの上端縁と、傾斜面部１９ｂの上端縁とに囲まれた部分が中開口部２０となっていて凹所１９内と前面上部カバー部１６背方の空間とを連通している。
【００３１】
傾斜面部１９ｂの上部には左右方向の全長にわたって嵌め込み凹部１９ｃが形成してあり、嵌め込み凹部１９ｃの奥の左右方向の複数個所に係止孔１９ｄが形成してある。嵌め込み凹部１９ｃは図７、図９に示すように下内面は水平となっているが、上内面の前部は弧状面となっている。
【００３２】
また、前面上部カバー部１６の背面下部には浮き上がり防止突部１６ａが突設してあり、前面上部カバー部１６の背面の下端縁の左右両端部には受け片１６ｂが突設してある。
【００３３】
本実施形態では上記嵌め込み凹部１９ｃの奥の係止孔１９ｄ、浮き上がり防止突部１６ａ、受け片１６ｂが被係合部２５が構成してある。
【００３４】
また、カバー本体１４の前面部の上端縁、左右側端縁、下端縁から背方に向けて上横片２１ａ、左右側片２１ｂ、下横片２１ｃよりなる外周枠部２１が一体に突設してあり、外周枠部２１の後端部に設けた係止部２４をキャビネット本体１０の前面部に設けた被係止部２２に着脱自在に係止することで、カバー本体１４をキャビネット本体１０に着脱自在に取付けてある。
【００３５】
ここで、図７（ｃ）、（ｄ）、図３に示すように両側面部１９ａの後端上部と、傾斜面部１９ｂの後端上部は左右側片２１ｂよりも背方に突出している。
【００３６】
透明板１２はカバー本体１４の上記中開口部２０部分に着脱自在に取付けるようになっている。
【００３７】
この透明板１２は図８に示すようなもので、合成樹脂の一体成形により形成してあり、前に行くほど上となるように上り傾斜した透明な傾斜板部１２ａを主体とし、この透明板部１２ａには無数のシボが形成してあり、透明板部１２ａの長手方向の両側端に上方に向けて側片１２ｂを一体に突設し、傾斜板部１２ａの後端から全長にわたって水平縁片１２ｃを後方に向けて一体に突設し、更に、水平縁片１２ｃの後端から後方に向けて突片１２ｅが突設してある。この突片１２ｅは複数で一組となっており、一組のうちの何れかの突片１２ｅの先端の片面側に引掛け部１２ｄを有しており、他の突片１２ｅには引掛け部１２ｄが設けてないが引掛け部１２ｄと反対側の面が膨出していて係止孔１９ｄの上下巾と同じ厚みとなっている。また、水平縁片１２ｃの上記複数個で一組となった突片１２ｅの突出基部の上面にはストッパ用突部１２ｆが突設してあり、また、傾斜板部１２ａの前端から全長にわたって上方に向けて立ち上がり片１２ｇが一体に突設してあり、上記、引掛け部１２ｄを有する突片１２ｅ、ストッパ用突部１２ｆ、立ち上がり片１２ｇが透明板１２の係合部２３を構成している。
【００３８】
また、先端に引掛け部１２ｄを有する突片１２ｅは複数個が一組となっていて水平縁片１２ｃの後端縁の複数個所に形成してある。
【００３９】
上記構成の透明板１２は透明板１２に設けた係合部２３をカバー本体１４に設けた被係合部２５に着脱自在に係合して取付けることで、中開口部２０を透明板１２で覆うようになっており、更に、取付け状態で透明板１２は後側程下となるように斜め後下方に下り傾斜した姿勢に取付けられる。
【００４０】
透明板１２の取付けを更に詳細に説明すると、透明板１２の水平縁片１２ｃを嵌め込み凹部１９ｃに嵌め込むと共に突片１２ｅを係止孔１９ｄに嵌め込み、突片１２ｅの先端の引掛け部１２ｄを係止孔１９ｄよりも背方に突出させて係止し且つストッパ用突部１２ｆを係止孔１９ｄの前方に位置させ、更に、立ち上がり片１２ｇを、前面上部カバー部１６の背面の浮き上がり防止突部１６ａと受け片１６ｂとの間に嵌め込む。この場合、透明板１２の両側片１２ｂを、カバー本体１４の凹所１９の両側面部１９ａの上端内面に当接する。
【００４１】
また、図９（ｂ）に示すように、引掛け部１２ｄを係止孔１９ｄよりも背方に突出させて係止し且つストッパ用突部１２ｆを係止孔１９ｄの前方に位置させた状態で、係止孔１９ｄと引掛け部１２ｄの間、あるいは、ストッパ用突部１２ｆと係止孔１９ｄとの間にわずかなクリアランスが生じるようにしてあり、これにより、寸法誤差を吸収し、また、透明板１２に外力が作用した場合などクリアランスの分だけ移動して外力を逃がすことができるようになっていて、透明板１２の取付け部分の破損を防止するようになっている。
【００４２】
上記斜め後下方に下り傾斜した透明板１２の上方位置に上記ランプ１３が位置するようになっており、ランプ１３からの光は透明板１２を介して下開口部１８から斜め前下方に向けて照射されることになる。
【００４３】
ここで、ランプ１３から照射された光の一部は透明板１２を通過して下開口部１８から直接下開口部１８から斜め前下方に向けて照射され、また、他の一部の光は透明板１２を通過して傾斜面部１９ｂに反射されて下開口部１８から前方又は斜め前下方に照射され、更に、他の一部の光は不透明の前面上部カバー部１６、上横片２１ａに反射され、反射された光が透明板１２を通過して、傾斜面部１９ｂに反射されて下開口部１８から前方又は斜め前下方に照射され、これにより、主として図３、図１０のイで示す範囲で斜め前下方に照射されてミラー２の前方位置を照らすようになっている。
【００４４】
したがって、ミラーキャビネット４の外観をよくするために照明カバー３がミラー２と面一又は略面一となっていても、本発明においては照明カバー３の斜め前下方であるミラー２の前方位置を効果的に照明し、ミラー２の前方に位置する使用者の顔を照らすと共にミラー２の前面側を明るく照らし、ミラー２に顔を映して行う化粧や整髪が良好に行える。
【００４５】
上記のように、ランプ１３から照射された光の一部は透明板１２を通過して下開口部１８から直接下開口部１８から斜め前下方に向けて照射されるように構成した場合、ミラー２の前方に位置してミラー２を見ながら化粧や整髪をする使用者から、斜め前上方を見ると、下開口部１８、透明板１２を介してランプ１３の発光が直接目に入り、眩しくなるが、本発明においては、上記のように透明板１２の透明板部１２ａには無数のシボが形成してあるので、グレアを防止することができ、ミラー２に顔を映して行う化粧や整髪がより一層快適にできる。
【００４６】
上記の構成のミラーキャビネット４は、照明部１の前面部の構成部材である照明カバー３の前面がミラー２の前面と面一または略面一となっているため、ミラーキャビネット４の前面に前方への出っ張りが無くなり、外観がよくなる。また、このようにミラーキャビネット４の前面に前方への出っ張りが無くなるので、ミラーキャビネット４を洗面室、脱衣室等の狭い室内に設置しても出っ張りによる圧迫感がなくなり、特に、ミラー２の前方に立ってミラー２に顔を映して化粧や整髪を行う際に照明部分の出っ張りがないので、圧迫感なく快適に化粧や整髪を行うことができることになる。
【００４７】
ミラーキャビネット４の前面の出っ張りがないので、梱包が簡単になり、搬送、保管に当って嵩高くならず、搬送、保管に要するスペースが大きくならない。
【００４８】
また、キャビネット本体１０を側面から見た場合、側面視で前端縁が上下方向に一直線状に連続またはほぼ一直線状に連続していて、キャビネット本体１０全体の側面形状が縦長の長方形状をしており、この側面形状が縦長の長方形状をしたキャビネット本体１０の前面にミラー２と、照明カバー３とを取付けて、照明カバー３の前面とミラー２の前面とが面一または略面一となっているので、ミラーキャビネット４全体を側面から見た場合、側面形状が縦長の長方形状をしたキャビネット本体１０の前端に、同じ前後巾の照明カバー３とミラー２とが上下に並んで位置することになって、側面から見た外観がすっきりした外観となり、この点でも外観がよくなることになる。
【００４９】
ところで、本発明のミラーキャビネット４を載置するための洗面キャビネット６にはすでに述べたように、立ち上がり壁部３１の前面の上端には吐水部３２、吐水部３２からの吐水、止水等を行うための吐水・止水操作部３０が設けてあるが、この吐水部３２の上端、吐水・止水操作部３０の上端はいずれも立ち上がり壁部３１の上端面と同じ高さ又は僅かに下方に位置していて、立ち上がり壁部３１の上端面にミラーキャビネット４の下端面の後端部を載置した状態で、吐水部３２、吐水・止水操作部３０の前端がいずれもミラー２の前面よりも後方にずれて位置している。
【００５０】
したがって、吐水部３２、吐水・止水操作部３０の上面はミラーキャビネット４の下端面に当接するか又はミラーキャビネット４の下端面よりわずかに下方に位置し、これにより吐水部３２、吐水・止水操作部３０が立ち上がり壁部３１の前面とミラーキャビネット４の下端面とのなすコーナ部分に位置することになり、吐水部３２、吐水・止水操作部３０の収まりがよくなり、吐水部３２、吐水・止水操作部３０を立ち上がり壁部３１から前方に突出して設けることによる圧迫感を抑制でき、また、ミラーキャビネット４の前方に立った使用者から吐水部３２、吐水・止水操作部３０の上部が見えず、ミラーキャビネット４を備えた洗面化粧台がすっきりした外観がよくなり、前述のミラーキャビネット４の全前面を面一又は略面一にして出っ張りを無くすことによってミラーキャビネット４の外観をすっきりし且つ出っ張りを無くして圧迫感を無くした効果との相乗で、よりいっそう圧迫感がなく、すっきりした外観の洗面化粧台４とすることができる。
【図面の簡単な説明】
【００５１】
【図１】本発明のミラーキャビネットの側面図である。
【図２】同上の正面図である。
【図３】同上のミラーキャビネットの上部の断面図である。
【図４】同上の洗面キャビネットにミラーキャビネットを載設して構成した洗面化粧台の斜視図である。
【図５】（ａ）は同上の洗面化粧台の正面図であり、（ｂ）は同上の断面図である。
【図６】同上の要部拡大断面図である。
【図７】同上に用いるカバー本体を示し、（ａ）は正面図であり、（ｂ）は平面図であり、（ｃ）は側面図であり、（ｄ）は断面図である。
【図８】同上に用いる透明板を示し、（ａ）は平面図であり、（ｂ）は側面図であり、（ｃ）は断面図である。
【図９】（ａ）は同上の透明板の水平縁片から突片を突出している部分の拡大斜視図であり、（ｂ）は突片を係止孔に嵌め込んでいる部分の拡大断面図である。
【図１０】ミラーキャビネットの前面の上端部に設けた照明カバーを介して照射される照明部からの照射光が斜め下前方に向けて照射される範囲を説明する説明図である。
【符号の説明】
【００５２】
１  照明部
２  ミラー
３  照明カバー
４  ミラーキャビネット
１０  キャビネット本体
１０ａ  収納用キャビネット部
１０ｂ  照明用キャビネット部
【図１】
0005030725.tif 000002
【図２】
0005030725.tif 000003
【図３】
0005030725.tif 000004
【図４】
0005030725.tif 000005
【図５】
0005030725.tif 000006
【図６】
0005030725.tif 000007
【図７】
0005030725.tif 000008
【図８】
0005030725.tif 000009
【図９】
0005030725.tif 000010
【図１０】
0005030725.tif 000011